(57)【特許請求の範囲】
【請求項１】
結像光学系によってフォーカシングスクリーンに結像された被写体像をペンタプリズムを介して接眼レンズより観察するファインダー光学系を有すると共に、該フォーカシングスクリーン上あるいは被写体像の予定結像面近傍に配置された反射板上の第１および第２の表示部を該ペンタプリズムを通して照明手段により照明し、該表示部の反射光を該被写体像と共に該接眼レンズから観察可能とする表示手段を有するカメラにおいて、
前記照明手段は、前記第１の表示部を照明するための第１の光源と、前記第２の表示部を照明するための第２の光源と、該第１の光源からの照明光を反射する第１の反射面を備え且つ該第１の反射面により該照明光を前記ペンタプリズムへ導き、該照明光により前記第１の表示部を照明する第１の投光光学部材と、該第２の光源からの照明光を反射する第２の反射面を備え且つ該第２の反射面により該照明光を前記ペンタプリズムへ導き、該照明光により前記第２の表示部を照明する前記第１の投光光学部材とは異なる第２の投光光学部材とを含み、
前記第１および第２の投光光学部材は、第１の方向に連結して一体化され、前記第１および第２の反射面は、それぞれ当該反射面の第１の方向側の両側に非反射面を備えることを特徴とするカメラ。
【請求項２】
前記第１および第２の投光光学部材は、それぞれ複数の反射面を備え、
前記第１および第２の反射面は、前記複数の反射面のうち、最も前記光源に近い反射面であることを特徴とする請求項１に記載のカメラ。
【請求項３】
前記非反射面は、微小な凹凸を備えた粗削り面であることを特徴とする請求項１又は２のいずれか１項に記載のカメラ。
【発明の詳細な説明】
【０００１】
【産業上の利用分野】
本発明はスーパーインポーズ表示機能を有する一眼レフカメラの表示装置に関するものである。
【０００２】
【従来の技術】
従来、スーパーインポーズ表示機能を有するカメラが知られている。従来のカメラでは、フォーカシングスクリーン上あるいは被写体像の予定結像面近傍に配置された反射板上の表示部を、ペンタプリズムを通して照明手段により照明し、該表示部の反射光を、結像（撮影）光学系を介して伝達された被写体像と共に接眼レンズで観察可能とするものである。
【０００３】
従来のカメラでは、スペースの都合上、照明手段からの照明光をペンタプリズムを介して該表示部へ導くための反射面を有する複数の投光光学要素を一体部品として構成している。
【０００４】
【発明が解決しようとする課題】
従来のカメラ技術では、複数のＬＥＤ（光源）に対応する複数の投光光学要素が一体部品として成形されているため、一方の投光光学要素の反射面上で反射された光（正常光以外の光）が、他方の投光光学要素内に導かれてしまってそれが迷光となり、ファインダー視野において表示部以外にフレアが見えてしまうという問題がある。
【０００５】
本発明は上記問題点に鑑みたものであり、迷光が発生しないように正常光の反射に関係ないところを非反射面にしてファインダー視野においてフレアを発生させない表示装置を提供することを目的とするものである。
【０００６】
【課題を解決するための手段】
上記目的を達成するために本願発明では、結像光学系によってフォーカシングスクリーンに結像された被写体像をペンタプリズムを介して接眼レンズより観察するファインダー光学系を有すると共に、該フォーカシングスクリーン上あるいは被写体像の予定結像面近傍に配置された反射板上の第１および第２の表示部を該ペンタプリズムを通して照明手段により照明し、該表示部の反射光を該被写体像と共に該接眼レンズから観察可能とする表示手段を有するカメラにおいて、前記照明手段は、前記第１の表示部を照明するための第１の光源と、前記第２の表示部を照明するための第２の光源と、該第１の光源からの照明光を反射する第１の反射面を備え且つ該第１の反射面により該照明光を前記ペンタプリズムへ導き、該照明光により前記第１の表示部を照明する第１の投光光学部材と、該第２の光源からの照明光を反射する第２の反射面を備え且つ該第２の反射面により該照明光を前記ペンタプリズムへ導き、該照明光により前記第２の表示部を照明する第２の投光光学部材とを含み、前記第１および第２の投光光学部材は、第１の方向に連結され一体化され、前記第１および第２の反射面は、それぞれ当該反射面の第１の方向の両側に非反射面を備える構成とした。
【０００７】
【作用】
本発明によれば、投光光学部材の反射面近傍を非反射面としたので、投光光学部材に入射した光のうち正常光以外は粗削り面で拡散されるため、迷光の発生を抑え、ファインダー視野内でのフレアの発生を抑制することができる。
【０００８】
【発明の実施の形態】
以下、本発明を一眼レフカメラに適用した場合の一実施形態を説明する。
図１は一眼レフカメラを横から見た断面図である。カメラの上部には、カメラ上部の外観部材となるカメラ上カバー１が設けられている。、
不図示の撮影光学系（結像光学系）を介した被写体光Ｌは、可動ミラー３が観察位置（図１の位置、ミラーダウン位置）にある時には、可動ミラー３により反射されて、フォーカシングスクリーン１１、後述する反射板１２、ペンタプリズム１３，接眼レンズ５，６、接眼レンズ保護ガラス７（接眼部）を介して、撮影者により観察される。可動ミラー３がミラーアップして不図示の撮影位置（ミラーアップ位置）にある時には、被写体光Ｌはフィルム２に到達してフィルムを露光する（被写体光Ｌはフィルム２上に撮影される）。
【０００９】
ペンタプリズム１３の接眼レンズ近傍（ペンタプリズム１３の後部で且つ接眼レンズ５，６の上部）には、被写体輝度を測定するための公知の測光レンズ８と測光センサー９とが配置されている。
電気実装部品を搭載したフレキシブルプリント基板１８は、ペンタプリズム１３の外周を覆うように配置されている。
【００１０】
ペンタプリズム１３の前部には、反射板１２上に設けられた表示部の表示内容（図４，図５に示した焦点検出枠１２ａ〜１２ｅ）を、被写体光Ｌと重ね合わせて接眼レンズ５，６から撮影者に同時に視認可能とするための、即ち表示部の内容（焦点検出枠１２ａ〜１２ｅ）をスーパーインポーズ表示するための投光要素（１４〜１７）が設けられている。
【００１１】
ペンタプリズム１３の前部（被写体側、結像光学系側）のスペースには、発光ダイオード（以下ＬＥＤと言う）１５（照明手段、光源）と、絞りマスク１６（照明手段）とを備えた投光ホルダー１７（照明手段）と、投光プリズム１４（照明手段、投光光学部材）とが配置されている。
フォーカシングスクリーン１１、反射板１２、ペンタプリズム１３は、投光ホルダー１７は、不図示のカメラ本体に支持されている。そして投光ホルダー１７は、このカメラ本体にネジにより取り付けられている。
【００１２】
次に図２を用いて、本実施形態で用いられる投光要素の具体的構成を説明する。
図２は、光源であるＬＥＤ１５と投光プリズム１４及びペンタプリズム１３の配置を斜視図である。
投光ホルダー１７は、５つのＬＥＤ１５ａ〜１５ｅと、該５つのＬＥＤにそれぞれ対応する５つの開口を備えた絞りマスク１６（図２では不図示）とを備えている。本実施形態では、後述するオートフォーカスのための焦点検出領域が５点あるので、おのおのの焦点検出枠１２ａ〜１２ｅにそれぞれ対応するようにＬＥＤ１５を５個設けている（図５にて後述する）。この５つのＬＥＤ１５ａ〜１５ｅは図２に示す如く平行に配置されている。
【００１３】
投光プリズム１４は、該５つのＬＥＤ１５ａ〜１５ｅからの投光を、それぞれペンタプリズム１３へ導くために５分割されている。これによりＬＥＤ１５ａの投光はプリズム１４ａにより、ＬＥＤ１５ｂの投光はプリズム１４ｂにより、ＬＥＤ１５ｃの投光はプリズム１４ｃにより、ＬＥＤ１５ｄの投光はプリズム１４ｄにより、ＬＥＤ１５ｅ投光はプリズム１４ｅにより、それぞれペンタプリズム１３の上面１３ａに導かれる。
【００１４】
なお本実施形態の投光プリズム１４は樹脂により成形されている。
各投光プリズム１４ａ〜１４ｅについて、一例として投光プリズム１４ｅを用いて詳述する。
投光プリズム１４ｅは２つの反射面（第１反射面１４ｅ１と第２反射面１４ｅ２）と、集光レンズ部１４ｅ３とを備えている。第１反射面１４ｅ１には、一部（面の両脇部分）に粗削り面（非反射面）が設けられている。この粗削り面に関しては、図６、図７を用いて後述する。
【００１５】
第１反射面１４ｅ１は全反射面の鏡面として形成されている。もう一方の鏡面である第２反射面１４ｅ２は、全反射面でない。第２反射面１４ｅ２の、焦点検出枠１２ａ〜１２ｅに導かれるべきＬＥＤ光の反射に関係する範囲（第２反射面１４ｅ２の中央部分）には、アルミニウム等の反射物質が蒸着されている。これにより第２反射面１４ｅ２は反射率を上げている。
【００１６】
ＬＥＤ１５ｅからのＬＥＤ光は、投光プリズム１４ｅに入射すると、反射面１４ｅ１で全反射し、さらに反射面１４ｅ２で反射して先端のレンズ部１４ｅ３で集光される。
投光プリズム１４ａ〜１４ｄも、上述した投光プリズム１４ｅと同様な構造となっている。
【００１７】
但し５つの投光プリズム１４ａ〜１４ｅのそれぞれの第１反射面１４ａ１〜１４ｅ１は，照射する（対応する）焦点検出枠１２ａ〜１２ｅの位置に応じてそれぞれ微妙に反射角度を変えており、第１反射面が５カ所とも同一面とはなっていない。このことは第２反射面１４ａ２〜１４ｅ２についても同様である。
そして各投光プリズム１４ａ〜１４ｅより射出した各ＬＥＤ光は、ペンタプリズム１３の上面１３ｂ（ペンタプリズムの上部面）からペンタプリズム内に入射する。
【００１８】
なお、通常ペンタプリズム１３の三角形の上面１３ａの全面は非反射面としている（黒色塗装を施したり、また粗削り面に成形したりすることにより非反射面としている）が、本実施形態では、入射面を確保するために上面１３ａの一部１３ｂ（台形状の面）を鏡面にしている。即ち図２で言うと、１３ａ１の部分が非反射面であり、１３ｂの部分が鏡面となっている。
【００１９】
次に図３、図４を用いて、反射板１２の構成について説明する。
図３は反射板１２を横から見た断面拡大図である。
反射板１２は、フォーカシングスクリーン１１に対向する面上１２ｆ（ペンタプリズム１３に対向する側とは反対側の面上、プリズム形成面）に、多数の微細なプリズムから成る複数のプリズムの集合部分１２ａ〜１２ｅ（図３ではこのうち１２ａ〜１２ｃを示している）を備えている。この複数のプリズム集合部分１２ａ〜１２ｅが、焦点検出枠１２ａ〜１２ｅ（表示部）をそれぞれ形成する。
【００２０】
各プリズム集合部分１２ａ〜１２ｅの断面形状は、図３に示すように微小三角形の集まりである。
不図示の撮影光学系（結像光学系）より入射した光束（被写体光Ｌ）は、このプリズム部分１２ａ〜１２ｅで屈折して接眼レンズ５、６方向への至らない。このため通常時（ＫＥＤ光が照射されていない時）に撮影者が接眼部７から観察した場合、この部分１２ａ〜１２ｅは他のファインダー内視野に比べて薄暗く視認される。
【００２１】
一方、ＬＥＤ１５により、図３中の斜め上方から反射板１２の焦点検出枠１２ａ〜１２ｅを照明すると 、例えば中央エリア１２ａに対応するＬＥＤ光Ｌ１に注目して考えると焦点検出枠１２ａの一部を構成するプリズムの斜面１２ａ1で全反射しさらに対向する斜面１２ａ2でも全反射して真上に向かうことになる。なお各焦点検出枠を構成するプリズム１２ａ〜１２ｅに入射しなかったＬＥＤ光は、フォーカシングスクリーンを通って可動ミラー３の方に抜けるので、撮影者には視認されない。
【００２２】
なお天エリア１２ｂ、地エリア１２ｃにそれぞれ対応するＬＥＤ光Ｌ２、Ｌ３は、それぞれ斜面１２ｂ１、１２ｃ１、及び斜面１２ｂ２、１２ｃ２で反射する。これらの斜面１２ｂ１、１２ｃ１、１２ｂ２、１２ｃ２は、ＬＥＤ光Ｌ２，Ｌ３を真上でなくアイポイントに導くように、エリアごとに微妙に斜面の角度を変えて形成されている。このことは、他の２エリア１２ｄ、１２ｅの微細プリズム（不図示）についても同様である。
【００２３】
なお、反射板１２上のプリズム集合部分１２ａ〜１２ｅ以外の部分（プリズム形成面１２ｆのプリズム部以外の部分と、面１２ｇの全面）は、透明である。このためＬＥＤ光が照射されると、このＬＥＤ光は、このプリズム部分１２ａ〜１２ｅで反射される以外は反射板１２内で何らの屈折、反射もされることなく接眼レンズ部５〜７に導かれる。これにより、ファインダー内で通常（ＬＥＤ光が照射されていない状態）黒く（薄暗く）視認される焦点検出枠１２ａ〜１２ｅは、ＬＥＤ光に照射されて見える。本実施形態のＬＥＤ光は赤い光を照射するものを用いているため、選択されている焦点検出枠（１２ａ〜１２ｅのいずれか）は赤く表示される。この赤いＬＥＤ光により撮影者は、どの焦点検出枠が選択されているかを一目で識別することができる。
【００２４】
なお反射板１２のプリズム形成面１２ｆを、マット面１１ａとフレネル面１１ｂとを持つフォーカシングスクリーン１１にできるだけ接近させて配置しているので、撮影者がマット面１１ａと焦点検出枠１２ａ〜１２ｅとの視度の違い感じることはほとんど無い。
図４は反射板１２の斜視図であり、プリズム形成面１２ｆを上にした斜視図である。
【００２５】
焦点検出枠１２ａ〜１２ｅは、中央エリア１２ａ、天エリア１２ｂ、地エリア１２ｃ、左エリア１２ｄ、右エリア１２ｅの５カ所である。
また本実施形態では、プリズム形成面１２ｆに、中央部重点測光の範囲を示す刻線１２ｈを刻印して（彫って）いる。この理由は、従来のカメラでは中央部重点測光の範囲を示す刻線をフォーカシングスクリーン１１のマット面１１ａに設けていたが、この従来の構成を採用すると、刻線１２ｈと反射板１２の焦点検出枠１２ａ〜１２ｅとの間に位置ずれを生じる可能性がある。このため本実施形態では、刻線１２ｈを、反射板１２のプリズム形成面１２ｆ上に設けて、上記位置ずれの発生を防止している。
【００２６】
図５は反射板１２の焦点検出枠１２ａ〜１２ｅを構成する微細プリズムの斜面の向きと、ＬＥＤ１５からの入射光の角度の関係を表した図である。
ＬＥＤ１５からの入射光に対しプリズムの斜面が略直交するように配置構成している。これにより中央エリアの焦点検出枠１２ａ以外の焦点検出枠１２ｂ〜１２ｅに対応するＬＥＤ１５ｂ〜１５ｅのＬＥＤ反射光も、アイポイントに到達することができ、どの焦点検出枠であっても、撮影者は目を振ることなく容易に視認することができる。
【００２７】
図５から明らかなように、ＬＥＤ１５ａのＬＥＤ光Ｌ１は焦点検出枠１２ａを照明し、ＬＥＤ１５ｂのＬＥＤ光Ｌ３は焦点検出枠１２ｃを照明し、ＬＥＤ１５ｃのＬＥＤ光Ｌ２は焦点検出枠１２ｃを照明し、ＬＥＤ１５ｄのＬＥＤ光Ｌ５は焦点検出枠１２ｅを照明し、ＬＥＤ１５ｅのＬＥＤ光Ｌ４は焦点検出枠１２ｄを照明する。
【００２８】
次に図６、図７を用いて、投光プリズム１４（照明手段、投光光学部材）についての構造について詳述する。
図６は、投光プリズム１４を図２中Ａ方向から見たときの正面図である。各投光プリズム１４ａ〜１４ｅは、既述した如く第１反射面１４ａ１〜１４ｅ１を備えている。各第１反射面１４ａ１〜１４ｅ１は、それぞれほぼ中央の位置に反射面１４ａ１１〜１４ｅ１１を備え、該反射面１４ａ１１〜１４ｅ１１の両脇にはそれぞれ粗削り面（非反射面）１４ａ１２〜１４ｅ１２を備えている。
【００２９】
図７は、投光プリズム１４を図２中Ｂ方向から見たときの上面図である。各投光プリズム１４ａ〜１４ｅは、既述した如く第２反射面１４ａ２〜１４ｅ２を備え、且つ先端には集光レンズ部１４ａ３〜１４ｅ３を備えている。
以下に、上述の如く第１反射面１４ａ１〜１４ｅ１に、粗削り面（非反射面）１４ａ１２〜１４ｅ１２を設けた理由を説明する。一例としてＬＥＤ１５ａからのＬＥＤ光の投光に関して説明する。
【００３０】
もし仮に投光プリズム１４ａの第１反射面１４ａ１の粗削り面１４ａ１２が反射面だと仮定すると、ＬＥＤ１５ａから照射されたＬＥＤ光は、投光プリズム１４ａの第１反射面の面１４ａ１２でも反射されることになる。この面１４ａ１２で反射されたＬＥＤ光は、投光プリズム１４ａに隣接する投光プリズム１４ｂの第２反射面１４ｂ２、又は隣接する投光プリズム１４ｃの第２反射面１４ｃ２に到達して、該第２反射面１４ｂ２，１４ｃ２で反射される。そしてＬＥＤ光は、集光レンズ１４ｂ３又は１４ｃ３を通り、ペンタプリズムの上面１３ｂからペンタプリズム内に入射することになる。このＬＥＤ光は正規の光束でないため、フレアになってしまう。
【００３１】
本実施形態では、上述したようなフレアの発生を抑制するために、投光プリズム１４ａ〜１４ｅの各第１反射面１４ａ１〜１４ｅ１に、粗削り面１４ａ１２〜１４ｅ１２を形成した。これによりＬＥＤ光が拡散して隣接する投光プリズムの集光レンズを介してペンタプリズム１３へ入射しないようにしている。
なお、既述した如く投光プリズム１４は樹脂製（プラスチック製）である。投光プリズム１４は金型に樹脂を流し込んで形成されるものである。この金型の一部には微小な凸凹が形成されており、上述した粗削り面１４ａ１２〜１４ｅ１２は、この金型の凸凹が転写されることによりプリズム１４上に形成されることになる。
【００３２】
ここで、図１乃至図３、図５を用いて、ＬＥＤ１５から投光されたＬＥＤ光の伝達経路について説明する。
ＬＥＤ１５からＬＥＤ光Ｌ１〜Ｌ５（可視光）が投光されると、該ＬＥＤ光は、まず絞りマスク１６に設けられた不図示の開口により絞られる（図１参照）。この絞りマスクで絞られることにより、ＬＥＤ光の光束が広くなって、そのＬＥＤに対応しない他の焦点検出枠を照明することを防いでいる。
【００３３】
その後ＬＥＤ光Ｌ１〜Ｌ５は、投光プリズム１４に入射する（図１、図２参照）。投光プリズム１４は、入射したＬＥＤ光Ｌ１〜Ｌ５を、上述した如く反射、集光しながらペンタプリズム１３の上面１３ａ（ペンタプリズムの上部面）へ導く（図１，図２参照）。
ペンタプリズム１３に入射したＬＥＤ光Ｌ１〜Ｌ５は、図１、図３に示した如き光路（図１，図３ではＬＥＤ光Ｌ１〜Ｌ３のみ図示）によりペンタプリズム１３を一旦通過し、反射板１２に到達する。
【００３４】
反射板１２に入射したＬＥＤ光は、上述の如くプリズム形成面１２ｆ上の微細プリズム１２ａ〜１２ｅで反射した後、再びペンタプリズム１３に入射する（図１，図３参照）。
その後のＬＥＤ光は、被写体光Ｌと同様の経路（図１の如くペンタプリズム１３内部で反射されて、接眼レンズ５，６、接眼レンズ保護ガラス７へと導かれる経路）をたどった後、撮影者に視認される。
【００３５】
なお、上述した実施形態では、面１４ａ１２〜１４ｅ１２を、粗削り面（微小な凹凸が施された面）としているが、本発明はこれに限らるものではなく、面１４ａ１２〜１４ｅ１２に例えば塗装を施したり、塗膜を設けたりしても良い。この場合には黒色塗装や黒色塗膜であればなお好ましい。とにかく面１４ａ１２〜１４ｅ１２は、非反射面となっていればどのような形態でも良い。
【００３６】
上述した実施形態では、各投光プリズム１４ａ〜１４ｅの第１反射面１４ａ１〜１４ｅ１に粗削り面（非反射面）１４ａ１２〜１４ｅ１２を設けている。これは、なるべく光源に近い位置に粗削り面を構成した方が、迷光の発生を効率良く押さえることができるからである。
なお本発明は上記実施形態に限定されるものでは無い。例えば、粗削り面（非反射面）を、第１反射面１４ａ１〜１４ｅ１のみでは無く、第２反射面１４ａ２〜１４ｅ２にも第１反射面と同様な配置構成（各第２反射面の中央に反射面を設け、その両脇に粗削り面を設ける配置構成）で設けても良い。第２反射面にも粗削り面を形成することにより、第１反射面の粗削り面による迷光抑止効果と相まって、更に迷光の発生を抑制することができる。
【００３７】
また更に、各集光レンズ部１４ａ３〜１４ｅ３の両脇（各レンズ部の端部）にも粗削り面（非反射面）を設けても良い。これにより更に迷光発生の抑制効果を上げることができる。
【００３８】
【発明の効果】
以上のように本発明によれば、投光プリズムの反射面で正常光の反射以外のところを非反射面にすることにより、迷光の発生を抑えることができ、ファインダー視野内でのフレアの発生を抑制できる。
【図面の簡単な説明】
【図１】図１は、一眼レフカメラを横から見た縦断面図である。
【図２】図２は、ＬＥＤと投光プリズム及びペンタプリズムの配置を示す斜視図である。
【図３】図３は、反射板の断面、及び照明光学系からの光路を示す拡大断面図である。
【図４】図４は、反射板の斜視図である。
【図５】図５は、反射板上の焦点検出枠を構成する微細プリズムの斜面の向きと、ＬＥＤからの入射光の角度の関係を表した図である。
【図６】図６は、投光プリズム１４を図２中のＡ方向から見た図である。
【図７】図７は、投光プリズム１４を図２中のＢ方向から見た図である。
【主要部分の符号の説明】
１                      カメラ上カバー
３                      可動ミラー（ミラー部材）
５，６                  接眼レンズ（ファインダー光学系）
７                      接眼レンズ保護ガラス（ファインダー光学系、接眼部）
１１                    フォーカシングスクリーン（焦点板）
１２                    反射板（表示板、表示部材）
１２ａ〜１２ｅ          焦点検出枠（表示部、プリズム集合部分）
１３                    ペンタプリズム（ファインダー光学系）
１３ａ                  上面（ペンタプリズム上部面）
１３ａ１                非反射面（非鏡面、粗削り面、塗装面、塗膜面）
１３ｂ                  鏡面（光透過面、透光面）
１４、１４ａ〜１４ｅ    投光プリズム（照明手段、投光要素、投光光学部材）
１４ａ１〜１４ｅ１      第１反射面（照明手段、投光要素、投光光学部材）
１４ａ１１〜１４ｅ１１  反射面（照明手段、投光要素、投光光学部材）
１４ａ１２〜１４ｅ１２  粗削り面（照明手段、投光要素、投光光学部材、非反射面、非鏡面、塗装面、塗膜面）
１４ａ２〜１４ｅ２      第２反射面（照明手段、投光要素、投光光学部材）
１４ａ３〜１４ｅ３      集光レンズ部（照明手段、投光要素、投光光学部材）
１５                    発光ダイオード（ＬＥＤ光源、投光要素、照明手段、光源）
１６                    絞りマスク（照明手段、投光要素、絞り部材）
１７                    投光ホルダー（照明手段、投光要素、保持部材）
１８                    フレキシブルプリント基板（回路基板）
Ｌ                      被写体光
Ｌ１〜Ｌ５              ＬＥＤ光（照明光）
【図１】
0004324996.tif 000002
【図２】
0004324996.tif 000003
【図３】
0004324996.tif 000004
【図４】
0004324996.tif 000005
【図５】
0004324996.tif 000006
【図６】
0004324996.tif 000007
【図７】
0004324996.tif 000008